(57)【要約】【課題】観察される装置の表面と画像を表示する表示面とが異なる面であることを認識させにくくする。【解決手段】パララックスバリア３０は、意匠部３３と、意匠部３３に積層された遮蔽部３５と、意匠部３３及び遮蔽部３５の非形成部である複数の透過部３７と、を備える。意匠部３３は、意匠を形成する。【選択図】図４
2020046472.tif 000002
【特許請求の範囲】
【請求項１】
意匠を形成する意匠部と、
前記意匠部に積層された遮蔽部と、
前記意匠部及び前記遮蔽部の非形成部である複数の透過部と、を備える、パララックスバリア。
【請求項２】
前記透過部の輪郭は、円弧又は楕円弧を含んでいる、請求項１に記載のパララックスバリア。
【請求項３】
平面視において前記透過部が占める割合は、３５％以上５０％以下である、請求項１または２に記載のパララックスバリア。
【請求項４】
請求項１乃至３のいずれか一項に記載のパララックスバリアと、
前記パララックスバリアの前記遮蔽部に対面する側に配置され、複数の画素を有する表示装置、を備え、
前記透過部は、前記画素に対応して形成されている、バリア付き表示装置。
【請求項５】
前記透過部は、不規則に配置されている、請求項４に記載のバリア付き表示装置。
【請求項６】
前記透過部のアスペクト比は、前記画素のアスペクト比の０．９倍以下である、請求項４または５に記載のバリア付き表示装置。
【請求項７】
前記透過部のピッチは、前記画素のピッチの２倍より大きい、請求項４乃至６のいずれか一項に記載のバリア付き表示装置。
【請求項８】
前記表示装置を取り囲む外枠部をさらに備え、
前記意匠部は、前記外枠部よりも、濃く意匠を表示している、請求項４乃至７のいずれか一項に記載のバリア付き表示装置。
【発明の詳細な説明】
【技術分野】
【０００１】
本発明は、パララックスバリア及びパララックスバリアを有するバリア付き表示装置に関する。
【背景技術】
【０００２】
画像を表示する表示装置が広く用いられている。このような表示装置は、画像非表示の状態では、通常、黒色に観察される。一方で、例えば自動車や家具、住宅建材等の表面部材においては、意匠性が非常に重要視される。現在、種々の分野に適用される表示装置に対し、単に表示装置に画像を表示する機能が期待されているだけでなく、周囲環境との意匠性の調和も要求されている。
【０００３】
表示装置に意匠性を付与するために、例えば特許文献１に示すように、表示装置の表示面に対面する位置に、加飾層を有する加飾シートを設けることが考えられた。加飾シートは、表示装置に周辺環境と調和することができる意匠性を付与することができる。また、表示装置の画像光が加飾シートを透過することができるよう、加飾シートの表示面に対面する領域には孔等の透過部が設けられる。
【先行技術文献】
【特許文献】
【０００４】
【特許文献１】特開２００１−３３１１３２号公報
【発明の概要】
【発明が解決しようとする課題】
【０００５】
ところで、表示装置の表示面に対面する位置に加飾シートを設けると、加飾シートの表面が加飾シート付き表示装置の表面となる。すなわち、加飾シート付き表示装置の表面と画像を表示する表示面とが、異なる面となる。このことが加飾シート付き表示装置の観察者に認識されると、観察者に違和感を与えてしまう。本発明は、このような点を考慮してなされたものであり、観察される装置の表面と画像を表示する表示面とが異なる面であることを認識させにくくすることを目的とする。
【課題を解決するための手段】
【０００６】
本発明のパララックスバリアは、
意匠を形成する意匠部と、
前記意匠部に積層された遮蔽部と、
前記意匠部及び前記遮蔽部の非形成部である複数の透過部と、を備える。
【０００７】
本発明のパララックスバリアにおいて、前記透過部の輪郭は、円弧又は楕円弧を含んでいてもよい。
【０００８】
本発明のパララックスバリアにおいて、平面視において前記透過部が占める割合は、３５％以上５０％以下であってもよい。
【０００９】
本発明のバリア付き表示装置は、
上述したいずれかのパララックスバリアと、
前記パララックスバリアの前記遮蔽部に対面する側に配置され、複数の画素を有する表示装置と、を備え、
前記透過部は、前記画素に対応して形成されている。
【００１０】
本発明のバリア付き表示装置において、前記透過部は、不規則に配置されていてもよい。
【００１１】
本発明のバリア付き表示装置において、前記透過部のアスペクト比は、前記画素のアスペクト比の０．９倍以下であってもよい。
【００１２】
本発明のバリア付き表示装置において、前記透過部のピッチは、前記画素のピッチの２倍より大きくてもよい。
【００１３】
本発明のバリア付き表示装置は、
前記表示装置を取り囲む外枠部をさらに備え、
前記意匠部は、前記外枠部よりも、濃く意匠を表示していてもよい。
【発明の効果】
【００１４】
本発明によれば、観察される装置の表面と画像を表示する表示面とが異なる面であることを認識させにくくすることができる。
【図面の簡単な説明】
【００１５】
【図１】図１は、バリア付き表示装置の各要素を概略的に示す分解斜視図である。
【図２】図２は、図１のバリア付き表示装置の正面図である。
【図３】図３は、図１のバリア付き表示装置の断面図である。
【図４】図４は、図１のバリア付き表示装置の一部を拡大して示す図であって、パララックスバリアの一例を示す図である。
【図５】図５は、図１のバリア付き表示装置の一部を拡大して示す図であって、パララックスバリアの一変形例を示す図である。
【図６】図６は、図１のバリア付き表示装置の一部を拡大して示す図であって、パララックスバリアの他の変形例を示す図である。
【発明を実施するための形態】
【００１６】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１７】
なお、本明細書において、「層」、「シート」及び「フィルム」の用語は、呼称の違いのみに基づいて互いから区別されるものではない。例えば「層」という用語は、シート或いはフィルムと呼ばれ得るような部材も含む概念である。
【００１８】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１９】
図１は、本発明による一実施の形態のパララックスバリア付き表示装置（以下、単に「バリア付き表示装置」とも記載する）１０を概略的に示す分解斜視図である。図１に示されるように、バリア付き表示装置１０は、表示面２１を有する表示装置２０と、表示面２１に対面して配置されたパララックスバリア３０と、表示装置２０を取り囲む外枠部１５と、を有している。パララックスバリア３０によって、観察者は、バリア付き表示装置１０に表示される画像を立体的に視認することができる。
【００２０】
図示された例において、パララックスバリア３０が、バリア付き表示装置１０の表面１１をなしている。バリア付き表示装置１０において、表示装置２０は、パララックスバリア３０の後述する遮蔽部３５に対面する側に配置されている。なお、図示されている例では、バリア付き表示装置１０は、平板状に示されているが、バリア付き表示装置１０の各構成要素が湾曲することで、バリア付き表示装置１０は、湾曲形状であってもよい。
【００２１】
表示装置２０は、画像光を出射する装置であり、画像光を出射することができる表示面２１を有している。表示装置２０は、液晶ディスプレイやプラズマディスプレイ、有機ＥＬディスプレイ等の任意の表示装置を用いることができる。このような表示装置２０の表示面２１は、典型的にはガラス面となっている。表示装置２０は、表示面２１において、第１方向ｄ１及び第１方向ｄ１に非平行な第２方向ｄ２に規則的に２次元配列された複数の画素２５を有している。すなわち、表示装置２０は、いわゆるドットマトリクスディスプレイである。各画素２５は、第２方向ｄ２が長手方向となっている。図示された例では、第１方向ｄ１と第２方向ｄ２とは、互いに直交している。また、第１方向ｄ１が観察者に対する横方向であり、第２方向ｄ２が観察者に対する縦方向となるよう、表示装置２０は配置されている。画素２５は、所定の位置の観察者の右眼Ｒに視認させる右眼用画像を形成する右眼用の画素２５Ｒと、左眼Ｌに視認させる左眼用画像を形成する左眼用の画素２５Ｌと、を含んでいる。また、画素２５は、右眼用画像及び左眼用画像のいずれも形成しない画素を含んでいてもよい。
【００２２】
外枠部１５は、表示装置２０の周辺に配置された部材である。外枠部１５は、バリア付き表示装置１０の画像を表示しない非表示領域となっている。外枠部１５は、意匠を表示することができる。外枠部１５は、例えば図形、パターン、デザイン、色彩、絵、写真、キャラクター、マーク、文字や数字等の絵柄を、意匠として表示している。具体的な例として、外枠部１５が表示する意匠は、木目調や大理石調の絵柄や幾何学模様、あるいは単色の色彩の絵柄である。また、図２に示すように、外枠部１５には、開口部１６が設けられている。この開口部１６に、表示装置２０及びパララックスバリア３０が配置されている。表示装置２０及びパララックスバリア３０が配置可能なように、正面視における開口部１６の寸法は、表示装置２０及びパララックスバリア３０の寸法以上となっている。バリア付き表示装置１０の画像表示状態において、表示装置２０の表示面２１に表示される画像は、開口部１６を介して、観察者に観察される。
【００２３】
パララックスバリア３０は、表示装置２０の表示面２１に対面して配置され、少なくとも表示面２１の全体を覆っている。パララックスバリア３０は、表示装置２０の表示面２１の全体を覆うことができるよう、表示面２１の寸法以上の寸法を有している。図１に示す例では、パララックスバリア３０は、全体として表示装置２０の表示面２１と同一の方向に広がる平板状の部材である。パララックスバリア３０の厚さは、例えば５００μｍ以上１０００μｍ以下である。
【００２４】
パララックスバリア３０は、基材部３１と、基材部３１上に設けられた意匠部３３及び遮蔽部３５と、意匠部３３及び遮蔽部３５の非形成部である透過部３７と、を有している。言い換えると、透過部３７は、意匠部３３及び遮蔽部３５によって画成されている。パララックスバリア３０の意匠部３３が設けられた側とは逆側、すなわち遮蔽部３５が設けられた側が、表示装置２０に対面している。図３に示された例では、遮蔽部３５は、意匠部３３に積層されており、基材部３１に接している。すなわち、遮蔽部３５は、基材部３１と意匠部３３との間に設けられている。しかしながら、意匠部３３が、基材部３１と遮蔽部３５との間に設けられていてもよい。
【００２５】
パララックスバリア３０では、少なくとも第１方向ｄ１（横方向）において、意匠部３３及び遮蔽部３５と透過部３７とが交互に配置されている。図３に示すように、パララックスバリア３０によって、観察者の右眼Ｒには右眼用の画素２５Ｒによって形成される右眼用画像のみが視認され、左眼Ｌには左眼用の画素２５Ｌによって形成される左眼用画像のみが視認される。右眼用画像と左眼用画像に視差が与えられることで、観察者は画像を立体的に視認することができる。
【００２６】
また、パララックスバリア３０は、意匠部３３によって形成される意匠を表示することができる。パララックスバリア３０が表示する意匠によって、バリア付き表示装置１０に意匠性を付与することができる。パララックスバリア３０が表示する意匠は、表示装置２０の画像非表示状態において、観察者に観察される。
【００２７】
基材部３１は、基材部３１上に設けられた意匠部３３及び遮蔽部３５を適切に支持する。基材部３１は、透明なフィルム状の部材である。基材部３１としては、可視光を透過し、意匠部３３及び遮蔽部３５を適切に支持し得るものであればいかなる材料でもよいが、例えば、ポリメタクリル酸メチル、ポリエチレンテレフタレート、ポリエチレンナフタレート、ポリカーボネート、ポリスチレン、環状ポリオレフィン、ＡＢＳ（アクリロニトリル  ブタジエン  スチレン共重合体）等を挙げることができる。また、基材部３１は、可視光透過性や、意匠部３３及び遮蔽部３５の適切な支持性等を考慮すると、１０μｍ以上５００μｍ以下の厚みを有していることが好ましい。
【００２８】
なお、透明とは、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される可視光透過率が、８０％以上であることを意味する。
【００２９】
意匠部３３は、パララックスバリア３０が表示する意匠を形成する。意匠部３３によって形成される意匠は、周辺環境と調和させることができる意匠であり、すなわち外枠部１５と調和させることができる意匠である。意匠部３３によって形成される意匠は、例えば、図形、パターン、デザイン、色彩、絵、写真、キャラクター、マーク、文字や数字などの絵柄であり、特に、木目調や大理石調の絵柄や幾何学模様である。意匠を表示するために、意匠部３３は、顔料を含んでいる。顔料は、任意の色の顔料であってよく、例えば黒色顔料のカーボンブラックであってよい。図３に示されているように、意匠部３３は、観察者側から、遮蔽部３５の全域に重なって積層されている。したがって、観察者は、遮蔽部３５を視認することなく、意匠部３３によって形成される意匠を観察することができる。意匠部３３は、形成される意匠を明瞭に表示するため、十分な厚さを有していることが好ましい。具体的には、意匠部３３の厚さは、例えば４μｍ以上１５μｍ以下である。
【００３０】
なお、周辺環境との調和の観点から、意匠を形成する意匠部３３は、少なくとも一部においてＬ＊ａ＊ｂ＊表色系におけるＬ＊の値が１２以上であることが好ましい。ここで、Ｌ＊ａ＊ｂ＊表色系におけるＬ＊の値は、例えば、分光測色計（コニカミノルタ製「ＣＭ−７００ｄ」）を用いて、測定することができる。
【００３１】
また、意匠部３３によって形成される意匠は、意匠部３３の非形成部である透過部３７によって、透過部３７なしに形成される意匠より薄く観察されてしまう。すなわち、透過部３７によって、意匠部３３によって形成される意匠が薄くなってしまう。このため、意匠部３３によって形成される意匠と外枠部１５の意匠を同様に形成した場合、意匠の濃さに違いが生じ得る。パララックスバリア３０において表示される意匠を外枠部１５の意匠と同様の濃さで表示するため、意匠部３３は、外枠部１５よりも、濃く意匠を表示していることが好ましい。例えば、意匠部３３の厚さが外枠部１５の意匠を形成する部材の厚さより厚くなっていること、意匠部３３に含まれる顔料の密度が外枠部１５に含まれる顔料の密度より高くなっていること、意匠部３３において意匠を形成する網点の面積比が外枠部１５において意匠を形成する網点の面積比より大きくなっていること、のいずれか１つ以上を採用することによって、意匠部３３が外枠部１５より濃く意匠を表示することができる。ただし、意匠部３３が外枠部１５より濃く意匠を表示するための構成は、これらのことに限定されない。
【００３２】
遮蔽部３５は、表示装置２０に対面する側、すなわち図３に示された例では基材部３１の側から、意匠部３３を覆うように設けられている。遮蔽部３５は、表示装置２０からの画像光が意匠部３３に入射しないよう、また、右眼用の画素２５Ｒによって形成される右眼用画像が左眼Ｌに視認されたり、左眼用の画素２５Ｌによって形成される左眼用画像が右眼Ｒに視認されたりしないよう、光を吸収する機能を有している。遮蔽部３５は、例えば光吸収粒子をバインダー樹脂中に含み得る。光吸収粒子としては、カーボンブラックやチタンブラック等の黒色顔料を例示することができる。また、十分な厚さの遮蔽部３５が意匠部３３を覆っていると、意匠部３３によって形成される絵柄を濃く明確に形成することができる。具体的な例として、遮蔽部３５の厚さは、１μｍ以上２０μｍ以下である。
【００３３】
透過部３７は、意匠部３３及び遮蔽部３５の非形成部であり、意匠部３３及び遮蔽部３５によって画成されている。なお、透過部３７は、孔や空隙であってもよいが、例えば透明な樹脂によって形成されてもよい透過部３７は、表示装置２０からの画像光を透過させることで、観察者に画像を観察させることができる。透過部３７は、表示装置２０の画素２５に対応して形成されている。具体的には、図３に示すように、透過部３７は、所定の位置の観察者の右眼Ｒに右眼用の画素２５Ｒによって形成される右眼用画像のみが視認され、左眼Ｌに左眼用の画素２５Ｌによって形成される左眼用画像のみが視認されるような位置に、形成されている。
【００３４】
表示装置２０の画像表示状態で観察者が画像を観察しやすいよう、平面視におけるパララックスバリア３０の透過部３７が占める割合は、高いほうが好ましい。具体的には、平面視における透過部３７が占める割合は、３５％以上であることが好ましく、４０％以上であることがより好ましい。しかしながら、画像を立体的に視認させるパララックスバリア３０としての機能を発揮するため、すなわち所定の位置の観察者の右眼Ｒに右眼用の画素２５Ｒによって形成される右眼用画像のみが視認され、左眼Ｌに左眼用の画素２５Ｌによって形成される左眼用画像のみが視認されるよう、透過部３７が占める割合は、５０％以下となっている。また、表示装置２０の画像非表示状態で観察者が意匠部３３によって形成される意匠を観察しやすいよう、平面視におけるパララックスバリア３０の意匠部３３が占める割合が高いほうが好ましい。すなわち平面視におけるパララックスバリア３０の透過部３７が占める割合は、低いほうが好ましい。具体的には、平面視における透過部３７が占める割合は、５０％以下であることが好ましく、４５％以下であることがより好ましい。平面視における透過部３７が占める割合は、例えば各透過部３７の面積を変化させることや、透過部３７の個数を変化させることで、調節することができる。
【００３５】
図４に示された例では、透過部３７は、第２方向ｄ２が長手方向となっている。透過部３７のアスペクト比は、例えば１以上１．２以下となっている。また、透過部３７のアスペクト比は、画素２５のアスペクト比より小さくなっており、具体的には０．９倍以下となっていることが好ましい。透過部３７のアスペクト比及び画素２５のアスペクト比とは、透過部３７及び画素２５の短手方向の長さに対する長手方向の長さの比のことを意味し、とりわけ図４に示された例では、第１方向ｄ１の長さに対する第２方向ｄ２の長さの比である。
【００３６】
複数の透過部３７は、図４に示すように、第１方向ｄ１及び第２方向ｄ２において規則的に配置されている。また、第１方向ｄ１における透過部３７のピッチは、画素２５のピッチの２倍より大きくなっている。また、第１方向ｄ１における透過部３７のピッチは、画素２５のピッチの整数倍であることが好ましい。図３及び４に示された例では、第１方向ｄ１における透過部３７のピッチは、画素２５のピッチの３倍となっている。さらに、第２方向ｄ２における透過部３７のピッチが、画素２５のピッチの２倍より大きくなっていてもよい。
【００３７】
このような透過部３７は、任意の形状とすることができるが、意匠部３３の大きさを十分に大きくして意匠部３３によって形成される意匠が観察されやすくするために、透過部３７の輪郭は、円弧又は楕円弧を含んでいることが好ましい。図示された例では、透過部３７の輪郭は、全体として楕円弧となっている。
【００３８】
なお、意匠部３３によってパララックスバリア３０に表示される意匠及び外枠部１５に表示される意匠は、上述したような絵柄に限らず、拡散層による光沢やつや出し等であってもよい。
【００３９】
次に、本実施の形態のパララックスバリア３０の製造方法の一例について説明する。
【００４０】
まず、基材部３１上に遮蔽部３５を形成するようになる遮蔽膜を設け、遮蔽膜上に意匠部３３を形成するようになる意匠膜を設ける。意匠膜及び遮蔽膜は、例えば印刷によって形成され得る。
【００４１】
その後、意匠膜上に、レジストパターンを設ける。レジストパターンは、形成されるべき意匠部３３及び遮蔽部３５の配置パターンに対応した形となっている。このレジストパターンは、例えば公知のフォトリソグラフィー技術を用いたパターニングにより形成することができる。
【００４２】
次に、レジストパターンをマスクとして、意匠膜及び遮蔽膜をエッチングする。このエッチングにより、意匠膜及び遮蔽膜がレジストパターンと略同一のパターンにパターニングされる。この結果、パターニングされた意匠膜から、意匠部３３が形成される。また、パターニングされた遮蔽膜から、遮蔽部３５が形成される。さらに、エッチングによって意匠膜及び遮蔽膜が除去された部分が、意匠部３３及び遮蔽部３５が画成する透過部３７となる。
【００４３】
なお、エッチング方法は、公知の方法が採用できる。例えば、意匠膜及び遮蔽膜が感光性を有する光硬化性樹脂である場合、フォトエッチングによって意匠部３３及び遮蔽部３５を形成することができる。あるいは、エッチング方法は、エッチング液を用いるウェットエッチングやプラズマエッチングなどであってもよい。エッチング工程の後、レジストパターンを除去する。以上の工程によって、パララックスバリア３０が作製される。
【００４４】
次に、本実施の形態のパララックスバリア３０を有するバリア付き表示装置１０の作用について、説明する。
【００４５】
表示装置２０の表示面２１に画像を表示しない状態では、バリア付き表示装置１０には、パララックスバリア３０の意匠部３３によって形成される意匠が表示される。すなわち、バリア付き表示装置１０は、観察されることが意図された意匠を表示することができる。表示された意匠によって、意匠性においてバリア付き表示装置１０を周辺環境と調和させることができる。
【００４６】
一方、表示装置２０が表示面２１に画像を表示した状態では、図３に示すように、画像光は、パララックスバリア３０の透過部３７を透過する。これにより、観察者は画像を観察することができる。すなわち、バリア付き表示装置１０は、観察されることが意図された画像を表示することができ、外部の観察者は、画像を観察することができる。
【００４７】
また、意匠部３３は、遮蔽部３５によって表示装置２０の側から覆われている。したがって、遮蔽部３５によって、画像光が意匠部３３へ入射することが妨げられる。このため、意匠部３３を画像光が透過して、意匠部３３によって表される絵柄と画像光とが混合して観察されることを防止することができる。すなわち、意匠部３３で特定波長域の可視光が吸収されることに起因して画像の色再現性が劣化することを効果的に防止することができる。
【００４８】
ところで、上述したように、従来の表示装置では、周辺環境と調和する意匠を表示するために、表示装置の表示面に対面して意匠を形成する加飾シートが設けられている。この場合、表示装置の画像表示状態で、表示装置の表示面が、加飾シート付き表示装置の表面、言い換えると加飾シートの表面より奥側にあることが、観察者に認識されてしまう。加飾シート付き表示装置の表面と表示装置の表示面とが、異なる面として認識されると、観察者に違和感を与えてしまう。このような違和感は、表示装置の表示面に表示される画像の視認性を劣化させ得る。
【００４９】
一方、本実施の形態のバリア付き表示装置１０では、表示装置２０の表示面に対面して、意匠を形成する意匠部３３を有するパララックスバリア３０が設けられている。パララックスバリア３０によって、観察者は、表示装置２０の表示面２１に表示される画像を立体的に視認することができる。言い換えると、表示面２１に表示される画像が表示面２１より観察者から見て手前側に浮き上がって認識される。このため、バリア付き表示装置１０の表面１１と表示装置２０の表示面２１とが、同一の面として観察者に視認され得る。よって、意匠性を付与するための部材を設けても、表示装置の表示面に表示される画像の視認性を劣化させなくすることができる。
【００５０】
具体的には、本実施の形態のバリア付き表示装置１０において、透過部３７は、表示装置２０の画素２５に対応して形成されている。これにより、図３に示すように、透過部３７は、観察者の右眼に画素２５のうち右眼用の画素２５Ｒによって形成される右眼用画像のみが視認され、観察者の左眼に画素２５のうち左眼用の画素２５Ｌによって形成される左眼用画像のみが視認されることができる。このような透過部３７が設けられたパララックスバリア３０が表示装置２０の表示面２１に対面して配置されることで、観察者が画像を立体的に視認することができる。
【００５１】
また、本実施の形態のパララックスバリア３０では、透過部３７の輪郭は、円弧又は楕円弧を含んでいる。透過部３７の輪郭が円弧又は楕円弧を含んでいると、矩形等となっている場合に比べて、各透過部３７の大きさを同一とした場合、まとまっている意匠部３３の大きさ、言い換えると隣り合う透過部３７の間の距離を大きくすることができる。このため、意匠部３３が形成する意匠の各部分が認識されやすくなり、意匠の全体が観察されやすくなる。
【００５２】
さらに、本実施の形態のパララックスバリア３０では、平面視において透過部３７が占める割合は、３５％以上５０％以下となっている。この場合、表示装置２０からの画像光を十分に透過させて画像表示状態で画像を観察させやすくすることができることと、意匠部３３が占める割合を高くして画像非表示状態で意匠を観察させやすくすることができることとを、両立させることができる。
【００５３】
また、本実施の形態のバリア付き表示装置１０では、透過部３７のアスペクト比は、画素２５のアスペクト比の０．９倍以下となっている。すなわち、透過部３７は、対応する画素２５より長手方向である第２方向ｄ２に対してより短くなっている。このため、透過部３７を小さくし、したがって意匠部３３を大きくすることができる。すなわち、意匠部３３が形成する意匠の各部分が認識されやすくなり、意匠部３３によって形成される意匠がより明確に観察者に視認され得る。また、バリア付き表示装置１０を観察する高さが変わっても、すなわちバリア付き表示装置１０の観察方向が第２方向ｄ２にずれたとしても、透過部３７は、対応する画素２５からの画像光を出射することができる。
【００５４】
さらに、本実施の形態のバリア付き表示装置１０において、透過部３７のピッチは、画素２５のピッチの２倍より大きくなっている。透過部３７のピッチが十分に大きくなっているため、意匠部３３を大きくすることができる。すなわち、意匠部３３が形成する意匠の各部分が認識されやすくなり、意匠部３３によって形成される意匠がより明確に観察者に視認され得る。また、画素２５が右眼用画像及び左眼用画像のいずれも形成しない画素を含み得ることで、表示装置２０として一般に用いられている表示装置を用いることができる。
【００５５】
また、本実施の形態のバリア付き表示装置１０において、透過部３７のピッチは、画素２５のピッチの整数倍となっている。この場合、透過部３７を画素２５に対応して配置しやすくすることができる。
【００５６】
以上のように、本実施の形態のパララックスバリア３０は、意匠を形成する意匠部３３と、意匠部３３に積層された遮蔽部３５と、意匠部３３及び遮蔽部３５の非形成部である複数の透過部３７と、を備える。このようなパララックスバリア３０によれば、意匠部３３によって形成される意匠によって、パララックスバリア３０を有するバリア付き表示装置１０に意匠性を付与することができる。また、パララックスバリア３０によって、バリア付き表示装置１０の表示装置２０の表示面２１に表示される画像を立体的に視認することができる。画像を立体的に視認させることで、観察されるバリア付き表示装置１０の表面１１と画像を表示する表示装置２０の表示面２１とが異なる面であることを、認識させにくくすることができる。
【００５７】
上述したパララックスバリア３０及びパララックスバリア３０を有するバリア付き表示装置１０は、例えば自動車や鉄道等の車両、航空機、船舶及び宇宙船等の移動体の内装部材または外装部材に用いられる。とりわけ、自動車の内装材に用いられる場合、観察者は所定の位置からバリア付き表示装置１０を観察するため、表示装置２０の表示面２１に表示される画像を立体的に視認しやすい。すなわち、バリア付き表示装置１０の表面１１と画像を表示する表示装置２０の表示面２１とが異なる面であることを、容易に認識させにくくすることができる。
【００５８】
なお、上述した実施の形態に対して様々な変更を加えることが可能である。
【００５９】
例えば、上述した実施の形態では、図４に示されているように、透過部３７は、第１方向ｄ１及び第２方向ｄ２において規則的に配置されていた。しかしながら、表示装置２０の画素２５に対応していれば、図５に示すように、第１方向ｄ１において規則的に配置され、第２方向ｄ２において不規則に配置されていてもよい。さらに、図６に示すように、透過部３７は、第１方向ｄ１及び第２方向ｄ２において不規則に配置されていてもよい。透過部３７が第１方向ｄ１に規則的に配置されていることで、パララックスバリア３０によって容易に観察者に画像を立体的に視認させることができる。一方、透過部３７が不規則に配置されていることで、透過部３７及び意匠部３３の配置のパターンを観察者に観察されにくくすることができる。
【符号の説明】
【００６０】
１０    バリア付き表示装置
１１    表面
１５    外枠部
１６    開口部
２０    表示装置
２１    表示面
２５    画素
３０    パララックスバリア
３１    基材部
３３    意匠部
３５    遮蔽部
３７    透過部
【図１】
2020046472.tif 000003
【図２】
2020046472.tif 000004
【図３】
2020046472.tif 000005
【図４】
2020046472.tif 000006
【図５】
2020046472.tif 000007
【図６】
2020046472.tif 000008